(57)【要約】【課題】ユーザの用途に合わせた使用形態を採ることができる携帯通信端末装置を提供すること。【解決手段】付加機能を有するアダプタ３０を着脱自在に設ける構成とし、用途に応じてアダプタ３０を着脱する。例えば、音声通話機能のみ使用する場合には携帯通信端末装置１０にバッテリ２０を接続する。一方、ダウンロードアプリケーションの実行など、より高度な機能を使用する場合には、携帯通信端末装置１０にアダプタ３０を接続する。【選択図】　　　図１
2004096333.tif 000002
【特許請求の範囲】
【請求項１】
外部通信網と無線回線を介して接続される本体と、
前記本体に着脱自在に設けられ、前記本体からアクセス可能なメモリを有するアダプタと、
を具備することを特徴とする携帯通信端末装置。
【請求項２】
外部通信網と第１の無線回線を介して接続される本体と、
前記本体と第２の無線回線を介して接続され、前記本体からアクセス可能なメモリを有するアダプタと、
を具備することを特徴とする携帯通信端末装置。
【請求項３】
前記アダプタは、外部電源から電力を取得する電力取得手段と、
前記本体と直接接続可能な接続手段と、
を具備し、
前記接続手段を介して前記本体に外部電源から取得した電力を供給し、かつ、前記本体から前記接続手段を介して前記アダプタに設けられたメモリにアクセスすることを特徴とする請求項２に記載の携帯通信端末装置。
【請求項４】
前記アダプタは、交換可能なメモリを具備することを特徴とする請求項１から請求項３のいずれかに記載の携帯通信端末装置。
【請求項５】
前記アダプタは、外部通信網と接続する通信接続手段を具備し、前記本体が前記アダプタを介して外部通信網と通信を行うことを特徴とする請求項１から請求項４のいずれかに記載の携帯通信端末装置。
【請求項６】
前記アダプタは、単独で情報処理を行う情報処理手段を具備することを特徴とする請求項１から請求項５のいずれかに記載の携帯通信端末装置。
【発明の詳細な説明】
【０００１】
【発明の属する技術分野】
本発明は、移動体通信システムにおける基地局装置と通信を行う携帯電話等の携帯通信端末装置に関する。
【０００２】
【従来の技術】
近年、携帯電話などの移動体通信のサービスでは、音声通信のみでなく、メールやデータ通信などの情報通信も一般的に行われている。さらに、携帯通信端末装置がプログラムデータをダウンロードし、端末装置上でそのプログラムを実行することも可能となっている。
【０００３】
【発明が解決しようとする課題】
このような携帯通信端末装置の高機能化にともない、携帯通信端末装置のソフトウェアの容量は増大の傾向にあり、それにともなって高速のＣＰＵや大容量のメモリが要求されている。特に、第３世代携帯電話と呼ばれるシステムでは、高速のＣＰＵや大容量のメモリが端末の大型化や消費電力の増大を招き、消費電力の増大は携帯通信端末装置の稼働時間を短縮させているという問題点があった。これにもかかわらず、ユーザは、高速のＣＰＵや大容量のメモリを必要とする機能又はサービスを常に使用するわけではない。すなわち、音声通話サービスのみを使用する場合には、高速のＣＰＵや大容量のメモリを必要とせず、上記問題点が顕著であった。
【０００４】
本発明は、かかる点に鑑みてなされたものであり、ユーザの用途に合わせた使用形態を採ることができる携帯通信端末装置を提供することを目的とする。
【０００５】
【課題を解決するための手段】
かかる課題を解決するため、本発明の携帯通信端末装置は、外部通信網と無線回線を介して接続される本体と、前記本体に着脱自在に設けられ、前記本体からアクセス可能なメモリを有するアダプタと、を具備する構成を採る。
【０００６】
この構成によれば、例えば、音声通話等の基本機能を用いる場合には、アダプタを使用せず、一方、高度な処理を行う場合には、アダプタを使用し、本体を介して大容量のプログラムデータをアダプタのメモリに格納することにより、本体に大容量のメモリを設けなくても高度な処理を実行することができる。また、アダプタのメモリに格納されている大容量のプログラムデータを用いて本体での処理能力を増大させるというように、ユーザの用途に合わせた使用形態を採ることができる。
【０００７】
本発明の携帯通信端末装置は、外部通信網と第１の無線回線を介して接続される本体と、前記本体と第２の無線回線を介して接続され、前記本体からアクセス可能なメモリを有するアダプタと、を具備する構成を採る。
【０００８】
この構成によれば、アダプタを本体から離れた位置で使用することができるため、移動時などにアダプタを携帯することにより、小型軽量の本体を操作するだけで高度な処理を行うことができる。
【０００９】
本発明の携帯通信端末装置は、前記アダプタが、外部電源から電力を取得する電力取得手段と、前記本体と直接接続可能な接続手段と、を具備し、前記接続手段を介して前記本体に外部電源から取得した電力を供給し、かつ、前記本体から前記接続手段を介して前記アダプタに設けられたメモリにアクセスする構成を採る。
【００１０】
この構成によれば、アダプタが外部電源から取得した電力を本体に供給するので、携帯通信端末装置を長時間使用することができる。
【００１１】
本発明の携帯通信端末装置は、前記アダプタが、交換可能なメモリを具備する構成を採る。
【００１２】
この構成によれば、本体及びアダプタに蓄積したデータのバックアップをとることができると共に、本体及びアダプタのメモリ容量に依存しないでデータを蓄積することができる。
【００１３】
本発明の携帯通信端末装置は、前記アダプタが、外部通信網と接続する通信接続手段を具備し、前記本体が前記アダプタを介して外部通信網と通信を行う構成を採る。
【００１４】
この構成によれば、前記本体が前記アダプタを介して外部通信網と通信を行うので、例えば、構内ＬＡＮ等の外部通信網に接続可能な環境では、アダプタを介して使用し、携帯電話網との間で音声通話等を行う場合、本体のみを使用するというように、通信品質、サービス、及び料金等をユーザが考慮して使用形態を選択することができる。
【００１５】
本発明の携帯通信端末装置は、前記アダプタが、単独で情報処理を行う情報処理手段を具備する構成を採る。
【００１６】
この構成によれば、例えば、本体とアダプタとの間でファイル共有を行うなど、より高度な機能を実現することができる。
【００１７】
【発明の実施の形態】
本発明の骨子は、音声通話など基本機能を有する携帯通信端末装置本体に、ダウンロードアプリケーションの実行など付加機能を有するアダプタを着脱自在に設け、用途に応じてアダプタを着脱することである。これにより、ユーザの用途に合わせた携帯通信端末装置の使用形態を採ることができる。
【００１８】
以下、本発明の実施の形態について、図面を参照して詳細に説明する。
【００１９】
（実施の形態１）
図１は、本発明の実施の形態１に係る携帯通信端末装置の構成例を示す外観図である。
【００２０】
図１において、携帯通信端末装置１０は、アンテナ１１、スピーカ１２、液晶表示器（ＬＣＤ）１３、キーボード１４、マイク１５を有し、音声通話、メールの送受、ウェブブラウジングなどの基本機能を有する。また、携帯通信端末装置１０は、バッテリ２０またはバッテリおよびダウンロードアプリケーションの実行機能を有するアダプタ３０を接続して使用する。
【００２１】
図２は、本発明の実施の形態１に係る携帯通信端末装置の構成例を示すブロック図である。この図において、携帯通信端末装置１０は、アダプタ３０を接続している場合を示す。なお、図１に対応する部分には同一符号を付した。
【００２２】
携帯通信端末装置１０が有する基本機能は、ベースバンド処理部１７が持つＣＰＵ１８およびメモリ１９により実現される。また、アダプタ３０には、ベースバンド処理部１７が持つＣＰＵ１８およびメモリ１９より高速、大容量のＣＰＵ３２およびメモリ３３が搭載され、かつ携帯通信端末装置１０とＣＰＵ３２およびメモリ３３に電力を供給するバッテリ３４が搭載されている。
【００２３】
このような構成をとることにより、例えば、音声通話機能のみ使用する場合には携帯通信端末装置１０にバッテリ２０を接続し、ダウンロードアプリケーションの実行など、より高度な機能を使用する場合には、携帯通信端末装置１０にアダプタ３０を接続して使用するといった使い分けが可能となり、特に、音声通話機能のみを使用する場合、携帯通信端末装置の大型化、稼働時間の短縮といった不具合の発生を回避することができる。
【００２４】
（実施の形態２）
図３は、本発明の実施の形態２に係る携帯通信端末装置の構成例を示す外観図である。なお、図１に対応する部分には同一符号を付した。
【００２５】
図３において、携帯通信端末装置１０は、音声通話、メールの送受、ウェブブラウジングなどの基本機能を有する。また、携帯通信端末装置１０は、バッテリ２０またはバッテリおよびダウンロードアプリケーションの実行機能を有するアダプタ４０を接続して使用する。なお、アダプタ４０はメモリスロット４１を介して交換可能なメモリ４２に接続することができる。
【００２６】
図４は、本発明の実施の形態２に係る携帯通信端末装置の構成例を示すブロック図である。この図において、携帯通信端末装置１０は、アダプタ４０を接続している場合を示す。なお、図１乃至図３に対応する部分には同一符号を付した。
【００２７】
アダプタ４０には、メモリ４２とのインターフェースを備え、ベースバンド処理部１７が持つＣＰＵ１８およびメモリ１９より高速、大容量のＣＰＵ３２およびメモリ３３が搭載され、かつ携帯通信端末装置１０とＣＰＵ３２およびメモリ３３に電力を供給するバッテリ３４が搭載されている。
【００２８】
このような構成をとることにより、請求項１に記載の機能に加え、携帯通信端末装置１０およびアダプタ４０に保存された電話帳、アドレス帳、メール、ダウンロードアプリケーションなどを外部記憶装置にバックアップすることができる。また、本体及びアダプタのメモリ容量に依存しないでデータを蓄積することができる。
【００２９】
（実施の形態３）
図５は、本発明の実施の形態３に係る携帯通信端末装置の構成例を示す外観図である。なお、図１に対応する部分には同一符号を付した。
【００３０】
図５において、携帯通信端末装置５０は、アンテナ１１、スピーカ１２、液晶表示器１３、キーボード１４、マイク１５を有し、音声通話、メールの送受、ウェブブラウジングなどの基本機能を有する。また、携帯通信端末装置５０は、バッテリ２０を接続して使用する。さらに、携帯通信端末装置５０は、近距離通信用のアンテナ５１を介して、同じく近距離通信用のアンテナ６１を具備し、バッテリおよびダウンロードアプリケーションの実行機能を有するアダプタ６０に接続することができる。
【００３１】
図６は、本発明の実施の形態３に係る携帯通信端末装置の構成例を示すブロック図である。なお、図１乃至図５に対応する部分には同一符号を付した。
【００３２】
アダプタ６０は、携帯通信端末装置５０との無線回線による接続を行うための送受信ＲＦ部６２を有する。また、携帯通信端末装置５０は、アダプタ６０との無線回線による接続を行うための送受信ＲＦ部５２を有し、携帯通信端末装置５０に搭載されたＣＰＵ１８およびメモリ１９とアダプタ６０に搭載されたＣＰＵ３２およびメモリ３３は、送受信ＲＦ部５２、アンテナ５１、無線回線５３、アンテナ６１、送受信ＲＦ部６２を介してお互いに接続される。
【００３３】
このような構成をとることにより、例えば、ユーザが身近にアダプタ６０を所持しておけば、基本機能しか有さない携帯通信端末装置５０により、大型の装置で実行するようなダウンロードアプリケーションを実行するなどのより高度な機能を利用することができる。
【００３４】
（実施の形態４）
図７は、本発明の実施の形態４に係る携帯通信端末装置の構成例を示す外観図である。なお、図１乃至図６に対応する部分には同一符号を付した。
【００３５】
図７において、携帯通信端末装置５０は、音声通話、メールの送受、ウェブブラウジングなどの基本機能を有する。また、携帯端末５０はバッテリ２０を接続して使用する。なお、バッテリおよびダウンロードアプリケーションの実行機能を有し、無線回線によって携帯通信端末装置５０と接続可能なアダプタ７０は、メモリスロット４１を介して交換可能なメモリ４２に接続することができる。
【００３６】
図８は、本発明の実施の形態４に係る携帯通信端末装置の構成例を示すブロック図である。なお、図１乃至図７に対応する部分には同一符号を付した。
【００３７】
アダプタ７０には、メモリ４２とのインターフェースを備え、ベースバンド処理部１７が持つＣＰＵ１８およびメモリ１９より高速、大容量のＣＰＵ３２およびメモリ３３が搭載され、かつＣＰＵ３２およびメモリ３３に電力を供給するバッテリ３４が搭載されている。
【００３８】
このような構成をとることにより、実施の形態３に記載の機能に加え、携帯通信端末装置５０およびアダプタ７０に保存された電話帳、アドレス帳、メール、ダウンロードアプリケーションなどを外部記憶装置にバックアップすることができる。
【００３９】
（実施の形態５）
図９は本発明の実施の形態５に係る携帯通信端末装置の構成例を示す外観図である。なお、図１乃至図８に対応する部分には同一符号を付した。
【００４０】
図９において、携帯通信端末装置８０は、アンテナ１１、スピーカ１２、液晶表示器１３、キーボード１４、マイク１５を有し、音声通話、メールの送受、ウェブブラウジングなどの基本機能を有する。また、携帯通信端末装置８０は、バッテリ２０を接続して使用する。さらに、携帯通信端末装置８０は、近距離通信用のアンテナ５１を介して、同じく近距離通信用のアンテナ６１を具備し、外部電源アダプタ９１およびダウンロードアプリケーションの実行機能を有するアダプタ９０に接続することができる。さらに、携帯通信端末装置８０およびアダプタ９０は、直接接続したときに互いに信号をやりとりできるインターフェース８１および９２を具備する。
【００４１】
図１０は、本発明の実施の形態５に係る携帯通信端末装置の構成例を示すブロック図である。なお、図１乃至図９に対応する部分には同一符号を付した。
【００４２】
アダプタ９０は、携帯通信端末装置８０との無線回線による接続を行うための送受信ＲＦ部６２を有する。また、携帯通信端末装置８０は、アダプタ９０との無線回線５３による接続を行うための送受信ＲＦ部５２を有し、携帯通信端末装置８０に搭載されたＣＰＵ１８およびメモリ１９とアダプタ９０に搭載されたＣＰＵ３２およびメモリ３３は、送受信ＲＦ部５２、アンテナ５１、無線回線５３、アンテナ６１、送受信ＲＦ部６２を介してお互いに接続される。
【００４３】
また、携帯通信端末装置８０とアダプタ９０は、直接接続したときに、携帯通信端末装置８０に搭載されたＣＰＵ１８およびメモリ１９とアダプタ９０に搭載されたＣＰＵ３２およびメモリ３３は、インターフェース８１およびインターフェース９２を介してお互いに接続される。
【００４４】
このような構成をとることにより、例えば、ユーザがアダプタ９０の近傍にいる場合、基本機能しか持たない携帯通信端末装置８０により、大型の装置で実行するようなダウンロードアプリケーションを実行するなどのより高度な機能を利用することができる。さらに、例えば、アダプタ９０にクレイドルの機能を持たせ、携帯通信端末装置８０をアダプタ９０に接続した際に、無線接続から有線接続に切り替え、消費電力を低減することができる。
【００４５】
（実施の形態６）
図１１は、本発明の実施の形態６に係る携帯通信端末装置の構成例を示す外観図である。なお、図１乃至図１０に対応する部分には同一符号を付した。
【００４６】
図１１において、携帯通信端末装置８０は、音声通話、メールの送受、ウェブブラウジングなどの基本機能を有する。また、携帯端末装置８０はバッテリ２０を接続して使用する。さらに、携帯通信端末装置８０は、近距離通信用のアンテナ５１を介して、同じく近距離通信用のアンテナ６１を具備し、外部電源アダプタ９１およびダウンロードアプリケーションの実行機能を有するアダプタ１００に接続することができる。さらに、携帯通信端末装置８０およびアダプタ１００は、直接接続したときに互いに信号をやりとりできるインターフェース８１および９２を具備する。なお、アダプタ１００は、メモリスロット１０１を介して交換可能なメモリ４２に接続することができる。
【００４７】
図１２は、本発明の実施の形態６に係る携帯通信端末装置の構成例を示すブロック図である。なお、図１乃至図１１に対応する部分には同一符号を付した。
【００４８】
アダプタ１００には、メモリ４２とのインターフェースを備え、ベースバンド処理部１７が持つＣＰＵ１８およびメモリ１９より高速、大容量のＣＰＵ３２およびメモリ３３が搭載され、かつＣＰＵ３２およびメモリ３３に電力を供給する外部電源アダプタ９１が搭載されている。
【００４９】
このような構成をとることにより、実施の形態５に記載の機能に加え、携帯通信端末装置８０およびアダプタ１００に保存された電話帳、アドレス帳、メール、ダウンロードアプリケーションなどを外部記憶装置にバックアップすることができる。
【００５０】
（実施の形態７）
図１３は本発明の実施の形態７に係る携帯通信端末装置の構成例を示す外観図である。なお、図１乃至図１２に対応する部分には同一符号を付した。
【００５１】
図１３において、携帯通信端末装置８０は、アンテナ１１、スピーカ１２、液晶表示器１３、キーボード１４、マイク１５を有し、音声通話、メールの送受、ウェブブラウジングなどの基本機能を有する。また、携帯通信端末装置８０は、バッテリ２０を接続して使用する。さらに、携帯通信端末装置８０は、近距離通信用のアンテナ５１を介して、同じく近距離通信用のアンテナ６１を具備し、外部電源アダプタ９１およびダウンロードアプリケーションの実行機能を有するアダプタ１１０に接続することができる。さらに、携帯通信端末装置８０およびアダプタ１１０は、直接接続したときに互いに信号をやりとりできるインターフェース８１および９２を具備する。なお、アダプタ１１０は、メモリスロット１０１を介して交換可能なメモリ４２に接続することができる。さらに、アダプタ１１０は構内ＬＡＮやインターネットなど外部通信網１１３に接続される。
【００５２】
図１４は、本発明の実施の形態７に係る携帯通信端末装置の構成例を示すブロック図である。なお、図１乃至図１３に対応する部分には同一符号を付した。
【００５３】
アダプタ１１０には、メモリ４２とのインターフェースを備え、ベースバンド処理部１７が持つＣＰＵ１８およびメモリ１９より高速、大容量のＣＰＵ３２およびメモリ３３が搭載され、かつＣＰＵ３２およびメモリ３３に電力を供給する外部電源アダプタ９１が搭載されている。また、ＣＰＵ３２およびメモリ３３は、ネットワークインターフェース１１２を介して外部通信網１１３に接続される。
【００５４】
このような構成をとることにより、実施の形態６に記載の機能に加え、例えば携帯通信端末装置８０とアダプタ１１０が無線回線５３またはインターフェース８１および９２を介して接続されている場合、アンテナ１１を介して無線回線から情報を得るのではなく、ネットワークインターフェース１１２を介して外部通信網１１３に接続するという制御も可能となり、ユーザにより安価なネットワーク接続の選択肢を与えることができる。
【００５５】
（実施の形態８）
図１５は本発明の実施の形態８に係る携帯通信端末装置の構成例を示す外観図である。なお、図１乃至図１４に対応する部分には同一符号を付した。
【００５６】
図１５において、携帯通信端末装置５０は、近距離通信用のアンテナ５１を介して、同じく近距離通信用のアンテナ１２１を具備するノート型パーソナルコンピュータ１２０に接続することができる。
【００５７】
図１６は、本発明の実施の形態８に係る携帯通信端末装置の構成例を示すブロック図である。なお、図１乃至図１５に対応する部分には同一符号を付した。
【００５８】
ノート型パーソナルコンピュータ１２０は、携帯通信端末装置５０との無線回線による接続を行うための送受信ＲＦ部１２２を有する。また、携帯通信端末装置５０は、ノート型パーソナルコンピュータ１２０との無線回線による接続を行うための送受信ＲＦ部５２を有し、携帯通信端末装置５０に搭載されたベースバンド処理部１７とノート型パーソナルコンピュータ１２０は、送受信ＲＦ部５２、アンテナ５１、無線回線５３、アンテナ１２１、送受信ＲＦ部１２２を介してお互いに接続される。
【００５９】
このような構成をとることにより、実施の形態３に記載の機能に加え、例えば携帯通信端末装置５０はノート型パーソナルコンピュータ１２０を大容量外部メモリとして使用し、ノート型パーソナルコンピュータ１２０は携帯通信端末装置５０をモデムとして使用するというように、より高度な機能を実現できる。
【００６０】
【発明の効果】
以上説明したように、本発明によれば、例えば、基本的な音声通話を行う場合は小型、低消費電力である本体のみを使用し、プログラムのダウンロード及びこのプログラムの実行など高度な処理を行う場合は本体にアダプタを接続して処理能力を増大させるというように、ユーザの用途に合わせた携帯通信端末装置の使用形態を採ることができる。
【図面の簡単な説明】
【図１】本発明の実施の形態１に係る携帯通信端末装置の構成例を示す外観図
【図２】本発明の実施の形態１に係る携帯通信端末装置の構成例を示すブロック図
【図３】本発明の実施の形態２に係る携帯通信端末装置の構成例を示す外観図
【図４】本発明の実施の形態２に係る携帯通信端末装置の構成例を示すブロック図
【図５】本発明の実施の形態３に係る携帯通信端末装置の構成例を示す外観図
【図６】本発明の実施の形態３に係る携帯通信端末装置の構成例を示すブロック図
【図７】本発明の実施の形態４に係る携帯通信端末装置の構成例を示す外観図
【図８】本発明の実施の形態４に係る携帯通信端末装置の構成例を示すブロック図
【図９】本発明の実施の形態５に係る携帯通信端末装置の構成例を示す外観図
【図１０】本発明の実施の形態５に係る携帯通信端末装置の構成例を示すブロック図
【図１１】本発明の実施の形態６に係る携帯通信端末装置の構成例を示す外観図
【図１２】本発明の実施の形態６に係る携帯通信端末装置の構成例を示すブロック図
【図１３】本発明の実施の形態７に係る携帯通信端末装置の構成例を示す外観図
【図１４】本発明の実施の形態７に係る携帯通信端末装置の構成例を示すブロック図
【図１５】本発明の実施の形態８に係る携帯通信端末装置の構成例を示す外観図
【図１６】本発明の実施の形態８に係る携帯通信端末装置の構成例を示すブロック図
【符号の説明】
１０、５０、８０　携帯通信端末
１１、５１、６１、１２１　アンテナ
１２　スピーカ
１３　液晶表示器
１４　キーボード
１５　マイク
１６、５２、６２、１２２　送受信ＲＦ部
１７　ベースバンド処理部
１８、３２　ＣＰＵ
１９、３３、４２　メモリ
２０、３４　バッテリ
３０、４０、６０、７０、９０、１００、１１０　アダプタ
４１、１０１　メモリスロット
５３　無線回線
８１、９２　インターフェース
９１　外部電源アダプタ
１１２　ネットワークインターフェース
１１３　外部通信網
１２０　ノート型パーソナルコンピュータ
【図１】
2004096333.tif 000003
【図２】
2004096333.tif 000004
【図３】
2004096333.tif 000005
【図４】
2004096333.tif 000006
【図５】
2004096333.tif 000007
【図６】
2004096333.tif 000008
【図７】
2004096333.tif 000009
【図８】
2004096333.tif 000010
【図９】
2004096333.tif 000011
【図１０】
2004096333.tif 000012
【図１１】
2004096333.tif 000013
【図１２】
2004096333.tif 000014
【図１３】
2004096333.tif 000015
【図１４】
2004096333.tif 000016
【図１５】
2004096333.tif 000017
【図１６】
2004096333.tif 000018